(57)【要約】      （修正有）【課題】器具移送装置を複数用いて移植用器具を体内に搬入する場合に、器具移送装置が移植用器具や他の器具移送装置に巻き付いたり絡まったりする事態を防止する取扱装置の提供。【解決手段】基端に弾性を有する弁７０を備えた案内パイプＨと、この案内パイプの２倍以上の長さ寸法を有する器具移送装置たる人工血管移送装置Ｂ3とから移植用器具取扱装置を構成するとともに、前記人工血管移送装置Ｂ3の先端は前記弁７０を弾性に抗し押し開くことによって、人工血管移送装置Ｂ3の先端が移植用器具たる人工血管Ｄを解除可能に保持するようにし、前記人工血管移送装置Ｂ3の基端側は前記案内パイプＨの基端よりも外で折り返されて前記案内パイプＨの先端から外に出ているようにするとともに、人工血管移送装置Ｂ3の基端側をキャッチャーＧに捕獲・牽引させて、当該人工血管移送装置Ｂ3とともに人工血管ＤをキャッチャーＧの牽引方向に移送させる。【選択図】図４９
2006136737.tif 000002
【特許請求の範囲】
【請求項１】
基端に弾性を有する弁を備えた案内パイプと、この案内パイプの２倍以上の長さ寸法を有し、移植用器具を人体の目的器官に移送するための器具移送装置とから構成されるものであって、
前記器具移送装置の先端は前記弁を弾性に抗し押し開くことによって前記案内パイプにその基端側から挿入されかつ該案内パイプの先端から出ていて、この器具移送装置の先端が移植用器具を解除可能に保持し、
前記器具移送装置の基端側は前記案内パイプの基端よりも外で折り返されて前記弁を弾性に抗し押し開くことによって該案内パイプに挿入され、さらに前記器具移送装置の基端は前記案内パイプの先端から外に出ているようにしているとともに、
この器具移送装置の基端側をキャッチャーに捕獲・牽引させて、当該器具移送装置とともに移植用器具をキャッチャーの牽引方向に移送させ得るように構成していることを特徴とする移植用器具取扱装置。
【請求項２】
前記器具移送装置が、前記案内パイプ内に挿通されるチューブと、当該チューブ内に移動自在に挿通されるワイヤとからなり、前記チューブの先端側においてワイヤとチューブとを利用して移植用器具を解除可能に保持していることを特徴とする請求項１記載の移植用器具取扱装置。
【請求項３】
前記器具移送装置が、所定の設置位置に到達するまで少なくとも移植用器具の一部を折り畳んだ状態に保持し、かつ前記設置位置で折り畳み状態を解除して復元させるのに用いられる保持杆を付帯していることを特徴とする請求項１又は２記載の移植用器具取扱装置。
【請求項４】
前記器具移送装置が前記案内パイプ内に移動自在に挿通されワイヤを内蔵するチューブを備え、このチューブに前記保持杆を付帯させてなるものであって、前記キャッチャーの牽引方向に沿って前記保持杆を付帯させたチューブを引っ張った上で当該保持杆をチューブに対して移動させることにより移植用器具を復元できるように構成したことを特徴とする請求項３記載の移植用器具取扱装置。
【請求項５】
器具移送装置のうち案内パイプの基端より外に出ている部分により操作を受け付けるようにしているとともに、この部分を操作することにより当該部分から基端に至る部分全体に操作力を伝えるように構成していることを特徴とする請求項１、２、３又は４記載の移植用器具取扱装置。
【請求項６】
器具移送装置のうち案内パイプの基端より外に出ている部分から基端までに相当する部分をフレキシブルなガイド部材としていることを特徴とする請求項５記載の移植用器具取扱装置。
【請求項７】
キャッチャーで捕獲される前記ガイド部材の基端が、その長手方向に対して横向きに湾曲していることを特徴とする請求項６記載の移植用器具取扱装置。
【請求項８】
前記移植用器具が１本の筒状の本体部と複数の筒状の枝からなるものであり、移植用器具取扱装置がいずれかの枝をキャッチャーの牽引方向へ移送するものであることを特徴とする請求項１、２、３、４、５、６又は７記載の移植用器具取扱装置。
【請求項９】
前記案内パイプの弁が少なくとも２つの孔を有しうるもので、それら孔のうち一つに器具移送装置の先端を挿入し、それとは別の孔に器具移送装置の基端側を挿入することが可能なものであって、前記弁を部分的に破断して前記２つの孔間を連通させることによって、この案内パイプの基端から外に出ている部分を該案内パイプ内に収容し得るように構成したことを特徴とする請求項１、２、３、４、５、６、７又は８記載の移植用器具取扱装置。
【発明の詳細な説明】
【技術分野】
【０００１】
本発明は、医療機器分野に属する移植用器具（本明細書及び請求の範囲において、弾性復元力を有する折り曲げ自在な人体の器官に挿入する器具を「移植用器具」と略称する。）の移送に用いる移植用器具取扱装置に関するものである。
【背景技術】
【０００２】
移植用器具として、例えば人工血管がある。現在、例えば、大動脈瘤の治療に当たっては、人工血管を移植することにより行われているのが現状である。つまり、手術により大動脈瘤に侵されている血管部分を切断除去し、この切断除去した部分に人工血管を縫合等の手術により接続して移植を行っている。
【発明の開示】
【発明が解決しようとする課題】
【０００３】
ところで、大動脈瘤の治療に当たり、上記のように手術により人工血管を移植する方法は危険率が高いという問題がある。特に破裂に対する緊急手術は、その救命率が落ちるものであり、また、解離性動脈瘤は手術が難しくて死亡率が高いという問題がある。
【０００４】
そこで、手術をすることなく治療を行うために、カテーテル内に人工血管等の器具を折り畳んだ状態で入れて血管の患部やあるいはその他の人体の器官の狭窄部等の目的位置に運び、その位置で放出することで復元させて移植することができる器具が考えられている。
【０００５】
この器具は、前リング状線材部と、この前リング状線材部に対向配置された後リング状線材部と、それら前後リング状線材部の間を連結する筒状の表装材と、前記前後リング状線材部間に配置された中間リング状線材部とを具備してなり、各リング状線材部に折り曲げ自在な弾性を付与してなるものである。
【０００６】
特に、血管の分岐部等には、前記後リング状線材部を複数有するとともに、前記表装材が枝分かれ部を有する器具を用いることがある。このような枝分かれ部を有する器具を運ぶ際には、器具移送装置をこのような器具に複数個接続することが考えられる。
【０００７】
そして、本発明はこのように器具移送装置を複数用いた場合、器具移送装置が移植用器具や他の器具移送装置に巻き付いたり、相互に絡まったりする事態を防止する手段を提供するものである。
【課題を解決するための手段】
【０００８】
本発明に係る移植用器具取扱装置は、基端に弾性を有する弁を備えた案内パイプと、この案内パイプの２倍以上の長さ寸法を有する器具移送装置とから構成されるものであって、前記器具移送装置の先端は前記弁を弾性に抗し押し開くことによって前記案内パイプにその基端側から挿入されかつ該案内パイプの先端から出ていて、この器具移送装置の先端が移植用器具を解除可能に保持し、前記器具移送装置の基端側は前記案内パイプの基端よりも外で折り返されて前記弁を弾性に抗し押し開くことによって該案内パイプに挿入され、さらに前記器具移送装置の基端は前記案内パイプの先端から外に出ているようにしているとともに、この器具移送装置の基端側をキャッチャーに捕獲・牽引させて、当該器具移送装置とともに移植用器具をキャッチャーの牽引方向に移送させ得るように構成していることを特徴とする。
【０００９】
このような移植用器具取扱装置を採用すれば、器具移送装置を案内パイプを用いてカテーテル内に挿入することにより、カテーテル内で搬送されている際に該器具移送装置を確実に移植用器具等から隔離しておくことができるため、該器具移送装置を案内パイプを用いずに直接カテーテル内に挿入した時の不具合、すなわち、該器具移送装置が移植用器具や他の器具移送装置に巻き付いたり、相互に絡まったりする事態を確実に防止することができる。
【００１０】
特に、前記器具移送装置が、前記案内パイプ内に挿通されるチューブと、当該チューブ内に移動自在に挿通されるワイヤとからなり、前記チューブの先端側においてワイヤとチューブとを利用して移植用器具を解除可能に保持しているものであれば、このワイヤを引き抜くことにより該器具移送装置を体外に取り出すことができる。
【００１１】
さらに、前記器具移送装置が、所定の設置位置に到達するまで少なくとも移植用器具の一部を折り畳んだ状態に保持し、かつ前記設置位置で折り畳み状態を解除して復元させるのに用いられる保持杆を付帯しているものであれば、この保持杆により少なくとも移植用器具の一部を折り畳んだ状態に保持することで移植用器具をカテーテル内に導入し、このカテーテルを介して移植用器具を患部に導入し、この保持杆を引き抜いて移植用器具を復元させることを可能にできる。なお、「保持杆を付帯している」とは、この保持杆の構成要素の一部、例えばワイヤを付帯していることを含む概念である。
【００１２】
前段の構成に加えて、前記器具移送装置が前記案内パイプ内に移動自在に挿通されワイヤを内蔵するチューブを備え、このチューブに前記保持杆を付帯させてなるものであって、前記キャッチャーの牽引方向に沿って前記保持杆を付帯させたチューブを引っ張った上で当該保持杆をチューブに対して移動させることにより移植用器具を復元できるように構成したものであれば、このチューブと前記保持杆とを一体的に取扱うことができ、操作を簡単なものにできる。
【００１３】
一方、器具移送装置のうち案内パイプの基端より外に出ている部分により操作を受け付けるようにしているとともに、この部分を操作することにより当該部分から基端に至る部分全体に操作力を伝えるように構成しているものであれば、この部位を介して器具移送装置の回転や出し入れを自在に行うことができる。
【００１４】
このような効果をより好適に実現できる態様として、器具移送装置のうち案内パイプの基端より外に出ている部分から基端までに相当する部分をフレキシブルなガイド部材としているものが挙げられる。
【００１５】
さらに、キャッチャーで捕獲される前記ガイド部材の基端が、その長手方向に対して横向きに湾曲しているものであれば、このガイド部材を操作することによって、基端の位置を大きく変位させることができる。
【００１６】
以上に述べた移植用器具取扱装置の好適な利用の態様として、前記移植用器具が１本の筒状の本体部と複数の筒状の枝からなるものであり、移植用器具取扱装置がいずれかの枝をキャッチャーの牽引方向へ移送するものが挙げられる。
【００１７】
そして、このような移植用器具取扱装置の案内パイプの好適な態様として、前記案内パイプの弁が少なくとも２つの孔を有し得るものにし、それら孔のうち一つに器具移送装置の先端を挿入し、それとは別の孔に器具移送装置の基端側を挿入可能なものであって、前記弁を部分的に破断して前記２つの孔間を連通させることによって、この案内パイプの基端から外に出ている部分を該案内パイプ内に収容しうるように構成したものが挙げられる。このような構成によれば、器具移送装置の基端側をキャッチャーに捕獲・牽引させて、当該器具移送装置とともに移植用器具をキャッチャーの牽引方向に移送させる際に、前記器具移送装置がＶ字型に折れ曲がった状態でこの案内パイプを通過し、さらにキャッチャーの牽引方向に移送させて他の箇所から体外に確実に引き出すようにできる。
【発明の効果】
【００１８】
本発明に係る移植用器具取扱装置を採用すれば、器具移送装置を案内パイプを用いてカテーテル内に挿入することにより、カテーテル内で搬送されている際に該器具移送装置を確実に移植用器具等から隔離しておくことができるため、該器具移送装置を案内パイプを用いずに直接カテーテル内に挿入した時の不具合、すなわち、該器具移送装置が移植用器具や他の器具移送装置に巻き付いたり、相互に絡まったりする事態を確実に防止することができる。
【発明を実施するための最良の形態】
【００１９】
本発明にかかる移植用器具取扱装置は、後述する図３４及び図４９に示すような移植用器具たる人工血管Ｄとともに用いられるが、これに先立ち、この種の人工血管を代表するものとして、より基礎的な構成を有する移植用器具たる人工血管Ａ、及びその取扱方法の一例について説明する。この人工血管Ａは、図１に示すように、表装材７と、前後のリング状線材部１０1 、１０2 と、中間リング状線材部１２とから構成されている。
【００２０】
表装材７は、図２に示すように、フレキシブルで且つ張りのあるシートをジャバラ状の筒に成形してなるもので、内径が配設先の血管の正常な流路断面形状に略対応させられている。この表装材７のシートは、例えば人工血管Ａの軸心方向に伸びる縦糸と人工血管Ａの円周方向に伸びる横糸とを編み込んだものであり、その縦糸にポリエステル製のモノフィラメント（１５デニール程度のもの）を使用し、横糸に超極細線をより合わせたマルチフィラメント（５０デニール程度のもの）を使用している。この横糸には特に、表装材７のシートをより薄く且つより強度のあるものにするために、１０デニール程度のポリエチレン製の糸が追加して織り込んである。また、その表装材７には、必要に応じて血液の漏洩を防止するための防水用のコーティング（コラーゲンやアルブミン等）が施されている。
【００２１】
前、後のリング状線材部１０1 、１０2 は、軸方向に互いに分割して対向配置されてなるもので、内径が前記表装材７の内径に略対応させられており、図２に示すように表装材７の一端または他端にそれぞれ縫着や接着等により固着されている。そして、図１に示すように、前リング状線材部１０1 の円周上を４等分した分割点４１1 、４２1 、４３1 、４４1 のうち、軸心を挟んで対向する一対の分割点４１1 、４３1 にループ状をなす牽引用の前引っ掛け部１３を形成している。この実施例の引っ掛け部１３は紐によって形成されたものであるが、必ずしも紐を用いて形成する必要はなく、支障がなければ表装材７に直接孔を開けて引掛け部として利用することもできる。また、これら前、後のリング状線材部１０1 、１０2 には、図１および図２に示すように、外縁に沿って保護部材である環状のモール材１０ａが周回配置され、その適宜箇所が縫着や接着等により該リング状線材部１０1 、１０2 に密接に固着されている。モール材１０ａは、例えばポリエステル繊維を綿のように束ねたもので、特に細い血管に対しては、これらのモール材１０ａを進行方向に向かって両リング状線材部１０1 、１０2 の進み側に変位した位置に取着しておくとよい。移送抵抗が作用したときに、図２に想像線で示すように、モール材１０ａを両リング状線材部１０1 、１０2 の近傍を覆う適正な位置に偏倚させることができるからである。
【００２２】
中間リング状線材部１２は、図１〜図４に示すように、リング状線材１２ａを布等の保護膜１２ｂにより被包した構成からなるもので、表装材７の外周にあって両リング状線材部１０1 、１０2 の間を長手方向に略等分割する位置に複数個配設され、その円周上の特定箇所を、縫着や接着等により表装材７に固着している。その特定箇所とは、前記前リング状線材部１０1 の分割点４１1 、４２1 の中間位置５１1 、分割点４２1 、４３1 の中間位置５２1 、分割点４３1 、４４1 の中間位置５３1 、及び、分割点４４1 、４１1 の中間位置５４1にそれぞれ対応する円周位置５１3 、５２3、５３3 、５４3 で、更に換言すれば、前記前リング状線材部１０1 の各中間位置５１1 、５２1 、５３1 、５４1 を通過する母線ｌ1 、ｌ2 、ｌ3 、ｌ4 に各中間リング状線材部１２が交叉する位置とされている。そして、前述した両端のリング状線材部１０1 、１０2 とともにこれらの中間リング状線材部１２によっても表装材７全体に筒状の保形力を付与している。
【００２３】
また、これらの中間リング状線材部１２のうち適宜のものには、その円周上の２箇所に人体の器官に突き刺さり植設される針状体１２ａ1をそれぞれ形成している。具体的には、これらの中間リング状線材部１２の線材１２ａは、前、後のリング状線材部１０1、１０2 とともに、チタンニッケル合金針等が使用されており、この種の素材は、弾性復元力に優れるが溶接が難しいという難点を有している。そこで、図３に示すように、中間リング状線材部１２に遊嵌される部分円筒状の止着金具１２ｃと、予めＵ字ないしはＶ字形に成形した針状体１２ａ1 とを用意し、中間リング状線材部１２と止着金具１２ｃとの隙間に針状体１２ａ1を挿通した後に止着金具１２ｃをかしめて、針状体１２ａ1 を中間リング状線材部１２に固定するとともに、その状態で更にその部分を紐等で縛り付けている。この針状体１２ａ1 が設けられる位置も、前述した円周位置５１3 、５２3 、５３3 、５４3 に対応している。
【００２４】
しかして、上記の構成からなる人工血管Ａを人体の目的器官に移植するために、人工血管Ａをカテーテル８内に沿って人体の目的器官にまで移送するための人工血管移送装置Ｂ（図５参照）と、カテーテル８内に人工血管Ａを導入するための本発明に係る人工血管導入装置Ｃ（図６参照）とが用いられる。人工血管移送装置Ｂは、図５に示すように、金属製であって変形性を有し先端にガイド用のコイルスプリング２ａが連設されたチューブ２と、このチューブ２の前端部付近に設けた側面窓部１と、その側面窓部１の近傍に両端部を固着し中間にループ４ａを形成した一対の紐４と、チューブ２内に移動自在に挿入されるワイヤー３とで構成してある。前記コイルスプリング２ａに代えてフレキシブルチューブを用いてもよい。また、人工血管移送装置として、チューブ２及びワイヤー３のみからなる構成も適用可能であるが、これについては後述する。
【００２５】
人工血管導入装置Ｃは、図６に示すように、カテーテル８の挿入端８ａに一体に連設される装着部５と、この装着部５に対して着脱自在なカートリッジ６とを具備してなる。装着部５は、図６および図８に示すように、内周に雌ねじを刻設された第１、第２の環状部材５１、５２と、両端に前記両雌ねじに螺合する雄ねじを突設され螺合位置においてそれらの環状部材５１、５２の内空を内部において連通させる第３の環状部材５３とを具備してなり、カテーテル８の挿入端８ａを若干大径に成形して、その挿入端８ａを前記第３の環状部材５３の一方の雄ねじの先端部に取着し、この第３の環状部材５３の内空をカテーテル８の挿入端８ａの内周に液密に接続するようにしている。第２の環状部材５２は、内周に、その開口端を閉塞する弾性膜製の第１の弁たる逆止弁５５が装着されるとともに、外周に螺旋溝を有する口金状の螺合部材５２ａが外嵌されている。カートリッジ６は、図６、図７および図９に示すように、内周に雌ねじを刻設された第１、第２の環状部材６１、６２と、両端に前記両雌ねじに螺合する雄ねじを突設され螺合位置においてそれらの環状部材６１、６２の内空を内部において連通させる第３の環状部材６３と、前記第３の環状部材６３の一方の雄ねじの先端部に基端部を液密に取着されるとともに先端部を挿入方向に向かって延出させてなるストロー部材６４と、このストロー部材６４を収容し得る内径を有し一端を前記第１の環状部材６１に一体に取着されるとともに他端に大径部６５ａを形成した円筒状のガイドパイプ６５と、このガイドパイプ６５の外周に軸心方向に移動自在で且つ脱落し得ないように遊嵌され内周に前記装着部５の口金状の螺合部材５２ａの外周に螺合する螺旋溝が形成されたキャップ６６とを具備してなる。第２の環状部材６２の内周には、その開口端を閉塞する位置に第２の弁たる弾性膜製の逆止弁６８が装着してある。また、環状部材６１、６２、６３は本発明の端部材を構成している。
【００２６】
そして、図６に示すように、このカートリッジ６のストロー部材６４の先端６ａを前記装着部５に後端５ａ側から着脱自在に嵌め込んで接続することができるようにしている。すなわち、図６、図８及び図９に示すように、カテーテル８の挿入端８ａの近傍における内径ｄ1 はカートリッジ６側のストロー部材６４の内径ｄ2 に略等しいか若しくは若干大径なものにしてあり、且つ、カートリッジ６のストロー部材６４のうちガイドパイプ６５の大径部６５ａから外部に表出する部位の長さＬ2 は装着部５の後端５ａからカテーテル８の挿入端８ａよりも若干入り込んだ位置までの長さＬ1 に略等しく設定してある。そして、カートリッジ６の他端に形成した大径部６５ａを装着部５の後端５ａに当接させ、その位置でキャップ６６を口金状の螺合部材５２ａの外周に螺着した図２８に示す状態で、ストロー部材６４の先端６ａをカテーテル８の挿入端８ａの内周に進入させて、該カテーテル８の内部に滑らかに連続させ得るようにしている。なお、前記逆止弁５５、６８は弾性膜製のものであって、図示しない孔が穿孔されており、通常はこの孔が閉塞しているものである。
【００２７】
また、人工血管Ａの折り曲げを補助するものとして、図１０及び図１１に示すような案内筒たるロート状筒１８及びピンセット１９が用意されている。このロート状筒１８は、後端部が筒状の人工血管Ａを挿入するための大径入口１８ａをなし、この大径入口１８ａ側から次第に径が絞られて前端部に小径な筒状接続部１８ｂが形成されたもので、内面がテーパ面１８ｄをなしている。そして、このロート状筒１８の前端側の接続部１８ｂを、図２５に示すように、カートリッジ６の後端部６ｂに着脱自在に嵌め込んで接続することができるようにしている。また、ピンセット１９は、人工血管Ａを摘んでロート状筒１８内に挿入するためのもので、その挾持面に、挿入方向よりも抜出方向に対して人工血管Ａとの間の摺動抵抗を相対的に小さくするような、挿入方向に対して逆目となり抜出方向に対して順目となる鋸歯状の係合部１９ａが形成してある。
【００２８】
次に、上記のように構成される人工血管移送装置Ｂおよび人工血管導入装置Ｃを用いて、人工血管Ａを折り曲げ、移植場所すなわち、人体の器官の一部である血管９の目的位置（図２９における患部２６）にまで搬送して移植する手順について説明する。先ず、人工血管Ａを図１２のように人工血管移送装置Ｂのチューブ２に外嵌し、その状態で図１３のように一対の紐４を人工血管Ａの引掛け部１３に通し、これらの紐４のループ４ａを重合させる。次に、図１４のように一旦側面窓部１から出したワイヤー３にそのループ４ａの重合部分を引っ掛け、さらに図１５のように再びワイヤー３を側面窓部１からチューブ２内に押し込んでチューブ２及びワイヤー３に紐４を介して人工血管Ａを保持させる。そして、この人工血管Ａを図６に示したカートリッジ６内にロート状筒１８及びピンセット１９を用いて挿入する。具体的には、図１６に示すように、人工血管Ａの前リング状線材部１０1 の分割点４１1 、４３1 に形成した引掛け部１３に共通の前引っ張り用紐２０を通し、その状態で分割点４１1 、４３1 を通る母線に沿って、ピンセット１９を当てがう。この段階までに、必要であれば図１７に示すように前記チューブ２にバルーンカテーテル２３を付帯させておく。このバルーンカテーテル２３は、パイプ部２３ａと、このパイプ部２３ａの先端に形成されたバルーン部２３ｂと、前記パイプ部２３ａの基端側に設けられ該パイプ部２３ａ内を通じて前記バルーン部２３ｂに空気等を導出入するための給排口２３ｃとからなっている。そして、そのパイプ部２３ａ内に前記人工血管移送装置Ｂのチューブ２を遊嵌している。すなわち、人工血管移送装置Ｂのチューブ２はその基端側をバルーンカテーテル２３のパイプ部２３ａの基端から外部に引き出してあるとともに、先端側を前記バルーンカテーテル２３のバルーン部２３ｂを貫通して外部に延出させてあり、その貫通部を気密に封着している。パイプ部２３ａの基端と人工血管移送装置Ｂのチューブ２との間は締め付け具２４において着脱自在とされ、締め付け具２４を締め付けたときにバルーンカテーテル２３と人工血管移送装置Ｂのチューブ２とを連結して長手方向に一体移動可能とし、締め付け具２４の締め付けを解除したときにバルーンカテーテル２３を人工血管移送装置Ｂのチューブ２に対して長手方向に相対移動させ得るようにしている。そして、このバルーンカテーテル２３を、先端がチューブ２に遊嵌された人工血管Ａの後端から略２〜３cm離れた位置に位置させ、この状態でバルーンカテーテル２３の締め付け具２４を締め付けてバルーンカテーテル２３をチューブ２と一体に動くようにセットする。
【００２９】
一方、上記と前後して、図１８に示すように、ロート状筒１８をカートリッジ６に装着しておく。装着に際して、ロート状筒１８の接続部１８ｂをカートリッジ６の環状部材６２内に挿入すると、図２５に示すように、その環状部材６２に内設してある弾性膜である逆止弁６８がロート状筒１８の接続部１８ｂによって押し開かれ、接続部１８ｂはそのカートリッジ６のストロー部６４内に若干入り込んだ位置に配設される。そして、図１８に示すように、ピンセット１９で人工血管Ａの引掛け部１３が設けられた母線ｌ5 、ｌ6 上を摘み、ロート状筒１８の内周に大径入口１８ａを介して挿入する。
【００３０】
このとき、図１９及び図２０に示すように、ピンセット１９で摘んだ箇所、すなわち、人工血管Ａの前リング状線材部１０1 の分割点４１1 、４３1 が互いに近づくように偏平に潰されながらロート状筒１８内に優先的に押し込められるのに対して、それ以外の分割点４２1 、４４1 はロート状筒１８の内周のテーパ面１８ａに摺接して従動を規制される。そのため、前リング状線材部１０1 がロート状筒１８の接続部１８ｂの近傍に至ったときに、図２１に示すように前方に向かって分割点４１1 、４３1 が山形の頂となり、他の分割点４２1 、４４1 が谷形の底となって、前リング状線材部１０1 が全体として規則正しい波状に折り曲げられる。また、このとき中間リング状線材部１２及び後リング状線材部１０2も、ピンセットで摘まれた状態でロート状筒１８の小径部に向かって追従するため、図２２に示すように同一位相の波形の変形が生じ始めている。そのうち、中間リング状線材部１２に着目すると、この中間リング状線材部１２は図２３及び図２４に示すように分割点と分割点の中間位置に対応する円周位置５１3 、５２3 、５３3 、５４3 のみを表装材７に固着されているため、その固着位置を支点にして、ピンセット１９で摘んだ部分が前方に迫り出し、摘まれていない箇所の中間位置が後方に取り残されるように捩じれながら、表装材７を殆ど引きずることなく波形に変形することになる。
【００３１】
次に、この状態からピンセット１９をロート状筒１８から抜き取り、引き続いて、前引っ張り用紐２０を前方へ引っ張って更に人工血管Ａをカートリッジ６の内部へ進入させる。このとき、前リング状線材部１０1 に加えられる推進力が表装材７を介して中間リング状線材部１２及び後リング状線材部１０2 へも伝わり、これらのリング状線材部１２、１０2 が前リング状線材部１０1 の動きに従動する。そして、人工血管Ａ全体がカートリッジ６内に完全に入り込んだ図２５に示す状態で、図２６に示すように、中間リング状線材部１２及び後リング状線材部１０2 も前リング状線材部１０1 と同一位相の波形になって完全に小さく折り畳まれる。
【００３２】
なお、ピンセット１９には前述した形状の係合部１９ａが設けてあるため、挿入時に人工血管Ａを確実に摘んでロート状筒１８内に押し込むことができるのに対して、抜出時には人工血管Ａとロート状筒１８の間をなめらかに滑って人工血管Ａを残したままでロート状筒１８から抜き取ることができる。また、上記の折り曲げ過程において、両リング状線材部１０1 、１０2 の外縁に周設しているモール材１０ａも追従して波状に折り曲げられるのは言うまでもない。
【００３３】
かくして、前引っ張り用紐２０を、結び目を外すか若しくは適宜位置を切断するかして一端を引き抜くことにより引っ掛け部１３から引き抜くとともに、カートリッジ６からロート状筒１８を引き抜くと、人工血管Ａは図２７に示すようにカートリッジ６のストロー部材６４内に格納され、そのカートリッジ６の後端部６ｂからは逆止弁６８を僅かに押し開いてチューブ２を内設したバルーンカテーテル２３のみが外部に導出された状態になる。
【００３４】
一方、カテーテル８を図２８に示すようにあらかじめ例えば足の付け根Ｆの股動脈に穿刺して、その先端部を図２９に示すように大動脈瘤等の血管９の患部２６にまで送り込んでおく。この場合、カテーテル８の先端部を目的部位である患部２６を若干通過した部位に位置させるように差し込む。また、カテーテル８の挿入端８ａ側に連設した装着部５は、図２８に示すように体外に露出させた状態にしておく。次に、人工血管Ａを装入したカートリッジ６のストロー部材６４を、図２８に示すように装着部５の後端部５ａから逆止弁５５を押し開いて差込み、大径部６５ａが前記後端部５ａに当接する位置まで押し進めるとともに、その位置でキャップ６６を前進させて口金状の螺合部材５２ａの外周に螺着すると、カートリッジ６のストロー部材６４の先端６ａがカテーテル８の挿入端８ａの内周に入り込んで滑らかに連続し、その接続状態がキャップ６６と螺合部材５２ａとの螺合状態によって確実に保持される。この状態で、バルーンカテーテル２３を把持して、カテーテル８にするバルーンカテーテル２３の送り操作を開始し、該カテーテル８内に次第に深く挿入してゆく。チューブ２は図１７に示したように締め付け具２４を介してバルーンカテーテル２３に連結されており、人工血管Ａはかかるチューブ２に保持されているため、バルーンカテーテル２３の移動に伴って人工血管Ａが次第に体内の深い位置に移送される。そして、最終的にチューブ２の先端が図２９のようにカテーテル８の先端に位置したところでバルーンカテーテル２３の送り操作を停止する。このとき、人工血管Ａは目的位置たる患部２６に位置させられる。ここで、バルーンカテーテル２３、チューブ２及びワイヤー３をその位置に残したままで、図３０のようにカテーテル８を引き抜いていくと、カテーテル８内に折り畳まれて挿入されていた人工血管Ａはその前端部から開きながら図３０→図３１→図３２の順序で患部２６周辺の血管９内に放出される。放出された人工血管Ａは筒状に復元して血管９の内壁に圧接する。つまり、人工血管Ａを図示のような状態で折り畳んでおくと、カテーテルから放出するときに、４等分した各点が弾性復元する方向は血管９に対して略直角な方向を向く。このため、人工血管Ａの端部が確実に開口する状態で開き、内空を血管９の内壁によって閉塞される形で開くことがない。次に、図１７に示した締め付け具２４の締め付けを解除してバルーンカテーテル２３とチューブ２との結合を解除し、チューブ２をその位置に保ったままバルーンカテーテル２３をチューブ２に沿って人工血管Ａ内に押し進め、その先端を図３３に示すように人工血管Ａの先端に至るまで進める。ここで、バルーンカテーテル２３の給排口２３ｃより空気等を導入してバルーン２３ｂを同図に示すように膨脹させ、人工血管Ａを完全に復元させて血管９の内壁に固定する。このとき、針状体１２ａ1 が血管９の内壁に突き刺さり、植設される。このようにして人工血管Ａの固定が終わると、給排口２３ｃより空気等を導出してバルーンカテーテル２３のバルーン部２３ｂを収縮させ、パイプ部２３ａを後退させて人工血管Ａより抜取る。そして、人工血管Ａが血管９の内壁に固定されたことを確認した後、チューブ２に対してワ���ヤ３を引くことにより、ワイヤー３の先端が図１３に示したようにチューブ２の側面窓部１よりも後退した時に側面窓部１部分でワイヤー３に巻いていた紐４のループ４ａがワイヤー３から外れる。この状態で、チューブ２を引くと、紐４が前引っ掛け部１３から外れる。そして、バルーンカテーテル２３とチューブ２とを締め付け具２４において再び連結した後、人工血管Ａのみを血管９の所定位置に残した状態でバルーンカテーテル２３をチューブ２とともに体外に引き出す。
【００３５】
以上のようにして、本実施例は人工血管Ａの患部２６への移植を完了できるわけであり、人工血管Ａは移植後に復元して患部２６における血管９の閉塞を防ぐ手段として有効に機能することになる。そして、本実施例のカテーテル８内への導入装置Ｃによると、カテーテル８内への人工血管Ａの導入を極めて円滑に行うことが可能になる。すなわち、同装置を、各々に弁５５、６８を有した装着部５およびカートリッジ６から構成しているのは、血液の逆流を防止するとともに、操作しやすい堅牢な部分を設けておくために他ならないが、特にこの実施例では、キャップ６６を口金状の螺合部材５２ａの外周に螺着してカートリッジ６と装着部５との間に完全な接続状態を作るようにしている。このため、操作途中でカートリッジ６が装着部５から抜出して大量の出血を惹起するといった危険性を簡単な構成及び操作で確実に解消することができると同時に、カートリッジ６のストロー部材６４の先端とカテーテル８の挿入端８ａの内周との間に滑らかな連続状態を維持することができる。その上、前記カートリッジ６は、ガイドパイプ６５からのストロー部材６４の突出量さえ変えなければ、必ず装着部５に適正に装着できるため、ガイドパイプ６５やストロー部材６４自体の長さを適宜に変更すれば、多様な大きさの人工血管Ａにも簡単に適用することが可能となる。
【００３６】
また、上記のような構成の人工血管Ａ及びその折り曲げ方法を採用すると、人工血管Ａの折り畳み操作を極めて円滑に行い得るものとなる。つまり、中間リング状線材部１２は前リング状線材部１０1 と同一位相の波形に折り曲げられるため、分割点４１1 〜４４1 に対応する円周位置４１3 〜４４3 は山形の頂若しくは谷形の底に交互に変位するのであるが、分割点と分割点の中間位置５１1 〜５４1 に対応する部位５１3 〜５４3 は極端に言えば全く前後移動がない。そして、中間リング状線材部１２はそれらの部位を間欠的に表装材７に固着されるため、中間リング状線材部１２の最もよく曲がる部分が表装材７に対してフリーになる。このため、中間リング状線材部１２が表装材７から引きずり抵抗を受けることが殆どなくなり、極めて自由な変形動作を保障されて無理のない折り畳み操作が確保されるものとなる。また、中間リング状線材部１２を前リング状線材部１０1 等とともにこのような適正な波形に折曲げることができることで、人工血管Ａ全体をコンパクトに折り畳むことが可能になり、比較的大きな人工血管Ａをもカテーテル８を通じて効率良く患部２６にまで搬送することが可能になるとともに、目的位置で放出したときも、分割点４１1 〜４４1 や、それに対応する中間リング状線材部１２が前リング状線材部１０1 等とともに血管に対して略直角方向に復元して、内空を閉塞する形で開くことがない。このため、移植の成功率を確実に高めることが可能になる。
【００３７】
その上、本実施例では人工血管Ａの両リング状線材部１０1 、１０2 の外周に柔軟性を有したモール材１０ａを周回配置しているため、リング状線材部１０1、１０2 が血管に直接接触して血管の内壁を傷つける事態を防止することができると同時に、このモール材１０ａが、人工血管Ａの両端を血管の内壁に密着させるためのシール材としても機能するため、人工血管Ａの両端からの血液の漏れを効果的に防ぐことができる。
【００３８】
また、本実施例では中間リング状線材部１２に針状体１２ａ1 を突設しているため、その針状体１２ａ1 が血管の内壁に突き刺さり植設されることで人工血管Ａ全体が固定される。このため、血管内に人工血管Ａを移植した後、その人工血管Ａが位置ずれを起こし、ひいては血管内を下流へ流される事態を有効に防止することができる。
【００３９】
また、本実施例では分割数を４としているため、折り曲げ操作時にピンセット１９を有効利用することが可能となっている。つまり、前リング状線材部１０1の引っ掛け部１３が設けられた対向２点４１1 、４３1 を通る母線ｌ5 、ｌ6 に沿って人工血管Ａ全体をピンセット１９で摘み、ロート状筒１８に差し込むと、これらの位置がロート状筒１８の大径入口１８ａから接続部１８ｂに向かって先行して運搬され、引っ掛け部１３が設けられていない分割点４２1 、４４1 はロート状筒１８の内壁のテーパ面１８ｄに当接して従動を阻止されながら次第に相寄る方向に絞られるのは前述したとおりである。したがって、必然的にピンセット１９で摘んだ箇所が山形の頂となり、それらの中間位置が谷形の底となって、適正な波形に折り畳まれる。中間リング状線材部１２も同様であるが、この場合にも、前リング状線材部１０1 の分割点と分割点の中間位置に対応する円周位置５１3 〜５４3 を支点にして該中間リング状線材部１２が山と谷をつくる方向に容易に変形するため、折り畳み動作は円滑かつ適正なものとなる。
【００４０】
さらに、前記ピンセット１９の挾持面に鋸歯状の係合部１９ａを設けているため、挿入時には係合部１９ａの逆目を利用してピンセット１９に加える付勢力を有効に人工血管Ａの推進力に変換することができるのに対して、抜出時には係合部１９ａの順目を利用して人工血管Ａを引きずることなくピンセット１９のみをロート状筒１８から円滑に抜き取ることが可能であるため、操作は極めて簡便なものとなる。
【００４１】
なお、本発明は上述した実施例のみに限定されるものではない。例えば、移植先である患部の血管が前記実施例とは異なり、途中で枝分かれしている場合には、図３４に示すような人工血管Ｄを用いることが有効になる。この人工血管Ｄは、例えば股の付け根付近の血管内に移植されるもので、基本的構造は上記実施例と同様のものである。しかし、移植先の血管の形状に適合させるために、この人工血管Ｄは、単一の前リング状線材部１１０1 に、これよりは径の小さい２つの後リング状線材部１１０2 を並列に対向配置し、途中が二股状に分岐した表装材１０７によって前記前リング状線材部１１０1 と後リング状線材部１１０2 の間を連結している点に特徴を有する。そして、前リング状線材部１１０1 と同径の部分に略同径の中間リング状線材部１１２1 を、また、後リング状線材部１１０2 と同径の部分に略同径の中間リング状線材部１１２2 をそれぞれ配設し、これらの中間リング状線材部１１２1 、１１２2 の前記実施例と同じ円周位置をそれぞれ表装材１０７に間欠的に縫着している。
【００４２】
一方、この人工血管Ｄは、予め図３５に示すように折り畳まれた状態でカテーテルに挿入され、目的位置にまで搬送される。先ず、折り畳み方法について説明すると、予め人工血管Ｄの各々のリング状線材部１１０1 、１１２1 、１１２2、１１０2 が取り付けられている位置において、それらのリング状線材部表装材１１０1 、１１２1 、１１２2 、１１０2 に一対の折り畳み用の紐１００1 、１００2 を取り付ける。具体的に中間リング状線材部１１２1 に代表してこれを説明すると、先ず紐１００1 の中央部を手術用の針に引掛けて折り返した状態に保持し、その状態で針を使いながらその紐１００1 を図３６に示すようにリング状線材部１１２1 に対して右回りに間欠的に縫いつけて縫い始めの位置から略背面位置にまで巻き回す。縫い付ける箇所は、前リング状線材部１１０1 の分割点と分割点の中間位置に対応する母線上であり、この実施例では２箇所となる。また、縫い付け先はリング状線材部１１２1 の表面を覆っている保護膜（図２における保護膜１２ｂと同様のもの）とすることが好ましいが、人工血管Ｄの液密性が確保されるならば表装材１０７としてもよい。同様にして、もう１本の紐１００2 を今度は前記紐１００1 の縫着位置とは対称な位置に左回りに縫い付ける。次に、人工血管Ｄの内空に折り畳み作業を補助するための心棒１１５を入れる。そして、先に縫い付けた一対の紐１００1 、１００2 の先端ループ部分１００ａ1、１００ａ2 を重合させてその部位に保持杆１１４を通し、しかる後、紐１００1 、１００2 の基端１００ｂ1 、１００ｂ2 を表装材１０７の背面側において互いに縛りつける。このとき、必要に応じ指先等で折り曲げを補助してやれば、中間リング状線材部１１２1 は分割点と分割点の中間位置に対応する位置に紐が通してあるため、この部位が互いに心棒１１５に近付く方向に絞り込まれ、結果的に、図３７に示すように、縫い付けられた位置と位置の間にある分割点が交互に山形の頂または谷形の底となるように変形して、全体が波形に折り畳まれる。このような作業を、各リング状線材部１１０1 、１１２1 、１１２2 、１１０2 全てに対して行う。その結果が図３５に示した状態である。なお、図に明らかなように、この実施例では保持杆１１４を２本用いている。長寸な方１１４1 は前リング状線材部１１０1 から一方の後リング状線材部１１０2 に至る領域の折り畳み状態を保持し、短寸な方１１４2 は分岐点にある中間リング状線材部１１２2からもう一方の後リング状線材部１１０2 に至る領域の折り畳み状態を保持するものである。
【００４３】
ところで、この実施例で前記保持杆１１４は、チューブ１１４ａの内周にワイヤ１１４ｂを挿通した構成からなるものであり、人工血管Ｄを折り畳んだ状態に保持した後、チューブ１１４ａを引き抜いてワイヤ１１４ｂのみを残す。ワイヤ１１４ｂはチューブ１１４ａよりも細径であるが、紐と紐を拘束する手段として有効である事に変わりはなく、その上、チューブ１１４ａよりも柔らかいため屈曲した移送系路に柔軟に対応して変形し得る。すなわち、このチューブ１１４ａは折り畳みを容易にするために経過的に用いられるものであり、折り畳み後は前記棒１１５と共に撤去される。
【００４４】
このようにして、予め折り畳んだ人工血管Ｄは、本発明に係る移植用器具取扱装置を利用して移植することが可能であるが、その前にこの人工血管Ｄの他の手法による移植の手順を比較実施例として述べる。先ず、この実施例では、図３８に示すように３つの人工血管移送装置Ｂ1 、Ｂ2 、Ｂ3 を用いる。第１の移送装置Ｂ1 は、前記実施例で用いたと同様のもの、すなわち、バルーンカテーテル２３のチューブ２３ａ内に挿通され、先端を人工血管Ｄを貫通して最前方位置に突出させ、その位置で前リング状線材部１１０1 の前引掛け部１１３に紐を引掛けて保持してなるものである。第２の移送装置Ｂ2 は、バルーンカテーテル２３のチューブ２３ａの肉厚内に穿孔した長手方向に伸びる孔に挿通され、先端をバルーン２３ｂの手前で外部に引き出し、その位置で図３９に示すように人工血管Ｄの一方の後リング状線材部１１０2 に形成した後っ引掛け部１１３ａに紐１０４を引掛けて保持してなるものである。第３の移送装置Ｂ3 は、バルーンカテーテル２３と並列に配置されてなるもので、先端を人工血管Ｄのもう一方の後リング状線材部１１０2 の後引掛け部１１３ａに紐１０４を引っ掛けて保持してなるものである。この第３の移送装置Ｂ3 は、他の移送装置に比べてチューブ１０２に特に柔らかい素材のものが用いてあり、そのチューブ１０２には、前述と同様にその肉厚内に長手方向に伸びる孔を設けて保持杆１１４2 のワイヤ１１４ｂが挿通させてある。なお、これらの移送装置Ｂ1 〜Ｂ3 も前記実施例で述べたカートリッジ６及び装着部５を介して体内に挿入されるのであるが、移送装置Ｂ1 、Ｂ2 がバルーンカテーテル２３に付帯しており、このバルーンカテーテル２３がカートリッジ６及び装着部５の弁６８、５５を僅かに押し開いて液密に貫通し得るのに対して、移送装置Ｂ3 をも前記弁６８、５５に挿通すると、弁６８、５５に隙間が生じ、液密性が低下する。そこで、この装置を使用する場合には、前記弁６８、５５の中央から偏倚した位置に、第３の移送装置Ｂ3 に対応したもう１つの孔（図示せず）を設けておくようにする。
【００４５】
次に、この人工血管Ｄを移植する手順について説明する。先ず、バルーンカテーテル２３を利用して第１の移送装置Ｂ1 に対する送り操作を行い、前バルーンカテーテル２３を前記実施例と同様にして大腿部の付け根からカテーテル内に挿入し、目的位置である枝分かれした患部において図４０に示すようにカテーテルから放出する。放出後も、この人工血管Ｄは保持杆１１４1 、１１４2 、より正確にはこれら保持杆１１４1 、１１４2のワイヤ１１４ｂによって折り畳み状態を保持される。そこで、第１、第２の移送装置Ｂ1 、Ｂ2 を用いて前後位置を調節し、人工血管Ｄを患部を通過した幹の部分に位置づける。次に、今度は第３の人工血管移送装置Ｂ3 をカテーテル９を介して体内に送り込む。この移送装置Ｂ3 には柔軟な素材が用いてあるため、図４１に示すようにＪ形の案内パイプＦ等を適宜用いればこの第３の移送装置Ｂ3 を患部付近で所要の方向に向かって大きく弛ませることができる。この状態で、今度はもう一方の大腿部の付け根から移送装置捕獲用のキャッチャーＥをカテーテルを通じて患部付近に導入する。このキャッチャーＥは、チューブｅ1 の内部にワイヤｅ2 を挿通し、そのワイヤｅ2 の先端であってチューブｅ1 から突出した位置にＵ字形のフックｅ3 を形成したもので、チューブｅ1 に対してワイヤｅ2 を突没させると、ワイヤｅ2 が突出した位置でフックｅ3 が開き、ワイヤｅ2 が没入した位置でフックｅ3 がチューブｅ1 によって閉じられるものである。そして、このキャッチャーＥを利用して、先に弛ませておいた第３の人工血管移送装置Ｂ3 を捕獲し、そのまま他方の大腿部の付け根から体外に引き出す。このようにして、図４２に示すように左右の大腿部の付け根から第１、第２、第３の移送装置Ｂ1 、Ｂ2 、Ｂ3 が引き出された状態にしたら、第２の移送装置Ｂ2 と第３の移送装置Ｂ3 とを用いて人工血管Ｄの後リング状線材部１１０2 に同図中矢印で示す方向に牽引力を作用させる。これにより、Ｙ形の人工血管Ｄの後リング状線材部１１０2 は血管の幹の部分から二股状に分岐した枝の部分へと引き込まれる。最後に、人工血管Ｄが図４３に示すように分岐した血管に沿って配設されたら、第１、第３の移送装置Ｂ1 、Ｂ3 にそれぞれ付帯させてある折り畳み保持用の保持杆１１４1 、１１４2 のワイヤ１１４ｂを引き抜く。これにより、人工血管Ｄを折り畳んだ状態に保持していた紐が解除され、人工血管Ｄが同図中想像線で示すように復元して、患部である分岐した血管の内壁に移植される。そして、最後に移送装置Ｂ1 、Ｂ2 、Ｂ3の各ワイヤを引き抜くことで、前引掛け部及び後引掛け部に対する保持状態が解除され、これらの移動装置Ｂ1 、Ｂ2 、Ｂ3 を体外に取り出すことができる。
【００４６】
このようにすると、血管の分岐部分に疾患があるような場合にも、経皮的手法によって適切に人工血管の移植を行うことが可能になる。勿論、人工血管Ｄは必ずしも紐１００1 、１００2 を用いて予め折り畳んでおく必要はなく、図１に示した単純円筒状の人工血管Ａと同様に単に折り畳むだけでもカテーテル８内を通じて好適に移植できる場合もあり得る。また、図３９に示した後リング状線材部１１０2 を牽引するための引っ掛け部１１３ａ及び第２の移送装置Ｂ2 を、図１に示した人工血管Ａの後リング状線材部１０２に対して適用してもよい。このようにすれば、カテーテル８から患部２６に放出した後に、人工血管Ａの前後位置調節を行うことができ、的確な位置決めによって移植を確実ならしめることができる。
【００４７】
なお、カートリッジに入れた状態で保持杆を引き抜いて人工血管を膨らませてもよい。人工血管には一部にレントゲンで撮像し易い金の糸を入れて配設状態をモニタできるようにしても効果的である。なお、本発明は上述した実施例のみに限定されるものではない。例えば、前記実施例では前リング状線材部を４等分したが、図４４に示すように、前リング状線材部２１０1 を８等分して、引っ掛け部が形成される４つの分割点２４１1 、２４３1 、２４５1 、２４７1 と、引っ掛け部が形成されない他の４つの分割点２４２1 、２４４1 、２４６1 、２４８1 とを設定してもよい。また、図４５に示すように、前リング状線材部３１０1 を６等分して、引っ掛け部が形成される３つの分割点３４１1 、３４３1 、３４５1 と、引っ掛け部が形成されない他の３つの分割点３４２1 、３４４1 、３４６1 とを設定することもできる。
【００４８】
また、上記実施例では人工血管移送装置の紐がループをなして一対に設けてあるが、必ずしも一対に設ける必要はない。しかし、一対に設けることで人工血管にバランスのとれた牽引力を作用させることができ有効である。ループは全体をより合わせておいてもよい。また、紐を用いずにチューブとワイヤのみで構成された人工血管移送装置も適用可能である。例えば、図４６に示すように、人工血管の前リング状線材部４１０1 に設けた前引っ張り用紐４１３を若干長いものにしておき、この前引っ張り用紐４１３のループ同士を重合させて、この部位にチューブ４０２の側面窓部４０１から引き出したワイヤ４０３を挿通して保持させればよい。また、表装材に直接孔を開けても支障がない場合には、その孔を引掛け部として利用して、直接ワイヤ及びチューブのみによって人工血管を保持することも可能である。
【００４９】
したがって、このような人工血管移送装置は、移植用器具として心臓等に開口した孔を塞ぐためのパッチに適用することも可能である。さらに、図３４に示すように、中間リング状線材部１１２の間を支柱５００によって端絡してもよい。このような支柱５００を付帯させると、人工血管Ｄの筒体としての構築性や強度を高めることができ、有効となる。この支柱５００は前後のリング状線材部１１０1 、１１０2 を含む形で取り付けても構わない。なお、この場合にも、止着位置として中間リング状線材部１１２と同様の円周位置を選択することによって、折り曲げ動作を妨害しないようにしておくことができる。
【００５０】
また、図４７に示すように、人工血管Ａをロート状筒１８に大径部１８ａから小径部１８ｂに向かって挿入することにより折り畳むにあたり、予め人工血管Ａを前記ロート状筒１８の大径部１８ａよりも小さく小径部１８ｂよりも大きい中間径を有したパイプ部材６００内に折り畳んで収容していてもよい。このようにすると、実用に際して折り畳む手間が省け、このパイプ部材６００をロート状筒１８に突き当たる位置まで差し込んで前リング状線材部側から引き出すだけで小径部１８ｂ、ひいてはカテーテル内に容易に挿入することができる。
【００５１】
さらに、図４８に示すように、２つの人工血管Ａ1 、Ａ2 を用意し、先に挿入される人工血管Ａ1 の後リング状線材部１０２よりも、後に挿入される人工血管Ａ２ の前リング状線材部１０1 を前方に位置づけて、両人工血管Ａ1 、Ａ2 をそれらの隣接位置で部分的に重合させて連結してもよい。このようにすると、その重合深さを調節することによって人工血管の長さを比較的自由に変化させることができ、移植先の患部２８の長さや形状が多少異なっても同じ規格の人工血管Ａ1 、Ａ2 を用いて弾力的に対応することが可能になる。そして、このようにしても、人工血管全体としての自立性や液密性を有効に担保しておくことができる。特に好ましくは、上流側に配置される人工血管Ａ1 に対して、下流側に配置される人工血管Ａ2 を相対的に小径なものとし、この下流側に配置される人工血管Ａ2 を部分的に上流側に配置される人工血管Ａ1 の内周に嵌入させるようにするとよい。このようにすると、特に、連結が円滑に行われるだけでなく、血管は上流から下流に向かって次第に小径になっているのが通例であるため、血管の形状にも適合した移植状態が得られる。勿論、同径であっても一方を若干変形させれば他方に部分的に嵌合させることは難しいことではない。
【００５２】
しかして、本発明に係る移植用器具取扱装置を利用すれば、人工血管の上述したような二股状に分岐した患部への移植をより好適に行える。この移植用器具取扱装置を利用した実施例を、図４９〜図５３を参照して説明する。図４９に示す人工血管Ｄは、図３４に示したものと基本的に同様のものである。そして、この実施例では、人工血管Ｄは図３５に示したように全体を折り畳んだ状態でカテーテル８に挿入するのではなく、図４９に示すように二股に分岐している細径な部分のみが折り畳まれてカテーテル８に挿入される。その理由は、本実施例では人工血管Ｄの少なくとも大径な本体部を当初より定位置に放出することとし、放出後に本体部の位置調整を行わないことにして、針状体１２ａ1 が不必要に人体の組織を傷つける事を防止する為である。折り畳み方法は第３６及び図３７に基づいて説明したと同様に紐１００1 、１００2 と保持杆１１４を用いる。そして、図４９に示すように、この人工血管Ｄを先に述べた３つの人工血管移送装置Ｂ1 、Ｂ2 、Ｂ3 （図３８参照）を用いて目的位置である二股状に分岐した患部にまで搬送して移植する。なお、この実施例では前記実施例とは異なり第１の人工血管移送装置Ｂ1 にバルーンカテーテルを付帯させていない場合について説明するが、必要であればバルーンカテーテルを適宜付帯させることができるのは言うまでもない。この場合、バルーンカテーテルは必ずしも前記実施例のように最初から人工血管と共に体内に導入する必要はなく、後から挿入することも勿論可能である。
【００５３】
図４９に示すように、第１の人工血管移送装置Ｂ1 は、先端を人工血管Ｄを貫通して最前方位置に突出させ、その位置で前リング状線材部１１０1 を保持する。第２の人工血管移送装置Ｂ2 は、先端を人工血管Ｄの後方に位置づけ、その位置で一方の後リング状線材部１１０2 を保持する。第３の人工血管移送装置Ｂ3は、先端を人工血管Ｄの後方に位置づけ、その位置で他方の後リング状線材部１１０2 を保持する。図４９では図示省略しているが、第２の人工血管移送装置Ｂ2 及び第３の人工血管移送装置Ｂ3 には図３８で示したと同様に折り畳み保持用の保持杆１１４1 、１１４2 、より正確にはこれら保持杆１１４1 、１１４2のワイヤ１１４ｂが付帯させてある。特にこの実施例で用いる第３の人工血管移送装置Ｂ3 は、他の人工血管移送装置Ｂ1 、Ｂ2 に比べてよりフレキシブルな素材のものが用いられている。しかも、この人工血管移送装置Ｂ3 の少なくとも基端ｂ3a近傍であって大腿部の付け根から患部までの距離に相当する長さの部分は、フレキシブルなだけではなく、一部を操作することによってその操作力が全体に伝わるようなコイルスプリング等のガイド部材ｂ3xで構成されていて、回転や出し入れを自在に行えるようになっている。また、その基端ｂ3aは長手方向に対して側方に湾曲させてある。このため、後述するように人工血管移送装置Ｂ3 のガイド部材ｂ3xを操作することによって、基端ｂ3aの位置を比較的大きく変位させ得るものである。
【００５４】
そして、これらの人工血管移送装置Ｂ1 〜Ｂ3 を、図２８に示したカートリッジ６及び装着部５を介してカテーテル８内に挿入する。前述したように、この実施例では人工血管移送装置Ｂ1 、Ｂ2 がバルーンカテーテルに付帯されないため、人工血管移送装置Ｂ3 を含めて合計３本が束状にされてカートリッジ６内に弁６８を押し開いて挿入されることとなる。このため、このカートリッジ６を図２８に示した装着部５に装着したとき、挿通部分からの出血を招き易い。そこで、この実施例では、前記カートリッジ６の後端部に、予め図４９に示すような漏れ止め用のシース７００を待機させておき、人工血管Ａと共に各人工血管移送装置Ｂ1 〜Ｂ3 をカートリッジ６に挿入した後、そのカートリッジ６の弁６８を押し開いてこのシース７００を接続するようにしている。図６０においてシース７００とカテーテル８の間にあるカートリッジ６及び装着部５は省略してある。このシース７００は、基本的にはカテーテル８に準じた構造を有するものであり、後端に弁７０１を有するものである。しかしながら、この弁７０１は、図５１に示すように中央に弾性に抗して押し開くことのできる孔７１１を有するとともに、その中央からラジアル方向へ偏位した等角位置に別の３つの孔７１２が設けられていて、各孔７１１、７１２間を仕切る位置に部分的に肉厚となる堤７１３を形成し、孔７１１、７１２間が容易に破断して連通することがないようにしたものである。この実施例では、中央の孔７１１に第１の人工血管移送装置Ｂ1が挿通され、他の３つの孔７１２のうち２つにそれぞれ第２、第３の人工血管移送装置Ｂ2 、Ｂ3 が挿通される。なお、この弁７０１に代えて、図５２に示すような弁７０２を用いることもできる。この弁７０２は、孔７２１、７２２自体は図５１の孔７１１、７１２に対応する位置に設けられたものであるが、各孔７２１、７２２の周囲にはそれぞれ円環状の肉厚部７２１ａ、７２２ａが設けられ、且つその肉厚部７２１ａ、７２２ａの内側が薄肉な窪みとされているものである。このような弁構造によっても、孔７２１、７２２間の破断を防ぐ意味においては有効に働くものである。また、第３の人工血管移送装置Ｂ3 については、これをそのまま孔７２２を介してカテーテル８に挿通するのではなく、図４９に示すような案内パイプＨを介してカテーテル８内に挿通する。この案内パイプＨは、基端ｈ1 がシース７００の外部に位置し、先端ｈ2 がシース７００から入りカテーテル８を介して枝別れした患部近くに位置づけられるもので、この案内パイプＨの基端ｈ1 にも図５３に示すような弁７０が装着してある。この弁７０は、弾性に抗して押し開くことのできる２つの孔７０ａ、７０ｂを有したもので、中央の孔７０ａに前記第３の人工血管移送装置Ｂ3 の先端側が挿入される。
【００５５】
次に、この人工血管Ｄを移植する手順について説明する。先ず、図２５に示したと同様の手順に従い、折り畳んだ人工血管Ｄとともに第１の人工血管移送装置Ｂ1 を弁６８の孔を押し開いてカートリッジ６内に挿入する。このとき同時に、第２の人工血管移送Ｂ2 を弁６８の同じ孔を押し開いてカートリッジ６内に挿入し、また案内パイプＨも同じ孔を押し開いてカートリッジ６内に挿入する。人工血管移送装置Ｂ3 はこの案内パイプＨに基端ｈ1 の弁７０の孔７０ａを介して挿入されている。しかる後、このカートリッジ６の後端の弁６８を押し開いて、シース７００を挿入する。このシース７００は、前述したように予めその孔７１１、７１２に人工血管移送装置Ｂ1 〜Ｂ3 が挿通させてある（但し、第３の人工血管移送装置Ｂ3 は案内パイプＨ内に挿入された状態にある）ので、先端を前記カートリッジ６の弁６８に差し込むと、カートリッジ６内はシース７００内に連通すると同時に、その内空は弁７０１において外部から液密に封止される。そして、第１の人工血管移送装置Ｂ1 に対する送り操作を行い、人工血管Ｄを大腿部の奥方にある二股に分岐した患部の定位置に搬送した後、図４９に示すようにカテーテル８から放出する。また、これに伴って第２、第３の人工血管移送装置Ｂ2、Ｂ3 も引きずられるようにして体内に進入していく。第３の人工血管移送装置Ｂ3 は案内パイプＨの進入に伴って進入していく。放出は、人工血管Ｄの大径な本体部を定位置に位置づけた状態で行う。この人工血管Ｄの枝別れした細径な部分は放出後も図３８に示した保持杆１１４1 、１１４2 によって折り畳み状態を保持される。また、この段階で第３の人工血管移送装置Ｂ3 を用いて二股に分岐した他方の後リング状線材部１１０2 を図中矢印Ｚで示すように分岐部分にまで押し上げる。次に、この実施例では、第３の人工血管移送装置Ｂ3 の基端ｂ3aを折り返して案内パイプＨ内に挿入する。具体的には、この時点では閉じられている図５３に示した弁７０の孔７０ｂを押し開いて挿入し、その後ガイド部材ｂ3xを掴んで順次送り操作を行い、その基端ｂ3aを案内パイプＨの先端ｈ2 から体内に延出させる。この状態で、今度はもう一方の大腿部の付け根から移送装置捕獲用のキャッチャーＧをカテーテルＫを通じて患部付近に導入する。このキャッチャーＧは、チューブｇ1 の内部に２本のワイヤｇ2 、ｇ3 を挿通し、両ワイヤｇ2 、ｇ3 のチューブｇ1 から延出した先端を無端となるように相互に連結した形状のものである。実際の構造としては、単一の線材を一旦チューブｇ1 に挿通し、しかる後挿通端を折り返して再びチューブｇ1 に挿通することにより構成してある。したがって、チューブｇ1 に対してワイヤｇ2 、ｇ3 を突没させると、チューブｇ1 から突出している部分のループ状の開口が拡縮されるものである。そして、人工血管移送装置Ｂ3 のガイド部材ｂ3xと、このキャッチャーＧとを操作して、基端ｂ3aをキャッチャーＧによって捕獲する。この捕獲を容易にするために、第３の人工血管移送装置Ｂ3 の基端ｂ3a付近が前述したように湾曲しており、案内パイプＨから導出しているガイド部材ｂ3xを手元で操作することによってその回転や出し入れを容易にしているものである。このようにしてキャッチャーＧによって基端ｂ3aを捕���したら、そのまま他方の大腿部の付け根から体外に引き出す。これにつれて、案内パイプＨの弁７０よりも外にあった第３の人工血管移送装置Ｂ3 の長さが次第に短くなってゆき、ついには弁７０の孔７０ａ、７０ｂ間で緊張した状態になる。このとき、孔７０ａ、７０ｂ間を人為的に破断すると、その破断した部分を経過的に押し開いて第３の人工血管移送装置Ｂ3 は完全に案内パイプＨ内に収容される。この破断は、メス等を使ってもよいが、棒状のものを押し付けて破断した後、そのまま案内パイプＨ内に挿入したままにしておけば、破断した部分からの出血を有効に防止することができる。この後、更にこの第３の人工血管移送装置Ｂ3 の基端ｂ3a側を他方の大腿部の付け根から次々に体外に引き出してゆくと、最終的にこの第３の人工血管搬送装置Ｂ3 が図５０に示すように先端部分のみを体内に残して他方の大腿部の付け根から略完全に取り出された状態になる。このようにして、第３の人工血管移送装置Ｂ3 が引き出されたら、後はこの第３の人工血管移送装置Ｂ3 を用いてＹ形の人工血管Ｄの後リング状線材部１１０2 を図５０に矢印で示す方向に牽引して血管の幹の部分から二股状に分岐した他方の枝の適正な位置に引き込む。人工血管Ｄが適正な位置に配設されたなら、第２、第３の人工血管移送装置Ｂ2 、Ｂ3 にそれぞれ付帯させてある折り畳み保持用の保持杆１１４1 、１１４2（図４２に示したもの）、より正確にはこれら保持杆１１４1 、１１４2のワイヤ１１４ｂを引き抜く。これにより、人工血管Ｄの折り畳み状態が解除され、人工血管Ｄの二股に分岐した部分が復元して、患部である分岐した血管の内壁に移植される。最後に、人工血管移送装置Ｂ1 、Ｂ2 、Ｂ3 の各ワイヤ３（図１５参照）を引き抜くと、前リング状線材部１１０1 及び後リング状線材部１１０2 に対する保持状態が解除され、これらの人工血管移送装置Ｂ1 、Ｂ2 、Ｂ3 を体外に取り出すことができる。
【００５６】
このような手法を採用すると、人工血管Ａを絡めたりすることなく、第３の人工血管移送装置Ｂ3 を適切にキャッチャーＧに捕獲させることができる。すなわち、この実施例では、第３の人工血管移送装置Ｂ3 を案内パイプＨを用いてカテーテル８内に挿入するようにしており、カテーテル８内で搬送されている際に第３の人工血管移送装置Ｂ3 を確実に人工血管Ａ等から隔離しておくことができるため、人工血管移送装置Ｂ3 を案内パイプＨを用いずに直接カテーテル８内に挿入したときの不具合、すなわち、第３の人工血管Ｂ3 が人工血管Ａや他の人工血管移送装置Ｂ1 、Ｂ2 に巻きつきいたり、相互に絡まったりする事態が確実に防止される。このため、案内パイプＨから出た人工血管移送装置Ｂ3 の基端ｂ3aをキャッチャーＧで捕獲して牽引したとき、これにつられて人工血管Ａや他の人工血管移送装置Ｂ1 、Ｂ2 までもが一緒に引きずられるという不都合を回避することができ、確実に人工血管移送装置Ｂ3 のみを他方の枝へ引き出すことができる。また、案内パイプＨはその先端ｈ2 をカテーテル８の挿入端よりも更に患部の二股分岐部分により近い位置に位置付けることができるため、キャッチャーＧによる基端ｂ3aの捕獲を一層容易ならしめることができる。したがって、これらにより移植の成功率を飛躍的に高めることが可能となる。このような効果は、上述した比較実施例の説明中において図４１で示したＪ形の案内パイプＦによっても得られるものである。しかしながら、本実施例では上記効果に加えて、案内パイプＨが人工血管移送装置Ｂ3 の先端のみならず基端ｂ3aをも折り返して挿入するようにしており、その基端ｂ3aを案内パイプＨの先端ｈ2 から外部に延出させたところでキャッチャーＧにより捕獲するようにしているため、その基端ｂ3aをガイド部材ｂ3xを操作することによって自由に位置調整することができ、キャッチャーＧによる捕獲を更に的確に行うことができる。その上、キャッチャーＧに先端が滑らかな無端形状のものを用いることができるため、誤って人体の組織を傷つける恐れがなく、また捕獲後にカテーテルＫ内に引き込んで取り出す際には人工血管移送装置Ｂ3 がＶ字形に折れまがった状態でカテーテルＫ内に引き込まれて搬送されるため、保持が確実であり、この人工血管移送装置Ｂ3 の基端ｂ3aを確実に体外に取り出すことが可能となる。
【００５７】
なお、以上説明した各実施例において、人工血管移送装置Ｂ（Ｂ1 〜Ｂ3 ）は、種々変形して実施することができるものである。図５４〜図５８に示すものは、チューブ２に形成される側面窓部が２つの互いに離間した第１、第２の開口孔１１Ｈ、１２Ｈから構成されるもので、第１の開口孔１１Ｈを介してチューブ２内から引き出したワイヤ３に紐４を引っ掛け、その後ワイヤ３を第２の開口孔１２Ｈを介してチューブ２内に戻すようにしているものである。このようにすれば、側面窓部を図５に示すような開口の大きなものにする必要がなくなるので、側面窓部周辺のチューブ２の肉厚を確保して座屈を防止し、人工血管移送装置Ｂの強度を有効に高めることができる。この場合、各部の横断面は同図に示すように一様に円筒状のものとする以外に、図５９〜図６３に示すように開口孔１１Ｈ、１２Ｈ間に扁平な異形部２Ｘを設けておくようにしてもよい。このようにすれば、第１の開口孔１１Ｈから一旦引き出したワイヤ３を比較的真っ直ぐに延出させた後に第２の開口孔１２Ｈに挿入することができるので、ワイヤ３が屈曲することを有効に防止することができ、搬送能力の低下を防ぐと同時に、ワイヤ３の抜き取りが困難となることを回避することができる。図６４は同様の趣旨で他の形状の異形部２Ｙを例示するものである。さらに、他の変形例として、図６５〜図６７に示すように、チューブを２つの互いに分断されたチューブ要素２Ａ、２Ｂから構成し、両チューブ要素２Ａ、２Ｂの外周間をチューブ連結用部材２Ｃによって連結した構造としてもよい。このようにしても、チューブ全体の強度さえ確保できれば、適正な搬送機能を発揮し得るものとなる。しかも、このような構成は、特にチューブが極めて細い場合に有効となる。細いチューブに前述したような単一の側面窓部を設けると、ワイヤを出入れするためには孔がチューブの大半を占めることになり、ともすればチューブの強度を大きく損なうことにもなりかねないが、上記のような構造を採用すれば、使用するチューブ連結用部材２Ｃの素材次第でチューブ２Ａ、２Ｂの適正な強度を保持することができる。このチューブ連結用部材２Ｃは、図６８〜図７０に示すように両チューブ要素２Ａ、２Ｂの内周間を連結する位置に配設されたものであってもよい。また、その断面形状は図示のような円柱状に限らず、板状のもの、部分円弧状のもの等であってもよい。さらにまた、図５４から図７０に示した人工血管移送装置Ｂは紐４を省略したものであってもよい。このようなものでも、ワイヤ３を人工血管Ａの引っ掛け用紐や引っ掛け用孔に直接挿通すれば有効な牽引作用を営むことができる。
【００５８】
一方、人工血管の変形例としては、図７１に示すようなものを用いることも有効である。この人工血管Ｐの基本的構造は図１の人工血管Ａと同様のものであるが、表装材７の内周の特定の母線に沿って人工血管Ｐの全長を縮める方向に働く伸縮可能な弾性線条体５００（例えばウレタン製糸等）を埋設したものである。このような人工血管Ｐであれば、折り畳んだときは前記各実施例と同様に嵩張りの少ないコンパクトな状態でカテーテル８内を搬送され、カテーテル８から放出したときには円筒に復元しようとする人工血管Ｐの一部を弾性線条体５００が制限して人工血管Ｐ全体を同図のように湾曲させることになるので、大動脈弓部などのような湾曲した患部に人工血管Ｐを配設する場合に血管への密着性を高め、漏れの発生を防ぐという優れた効果が奏される。このような効果は、蛇腹付き人工血管と併用することによって更に相乗的に高められるものとなる。
【００５９】
さらに、図示しないが、カテーテル８等にはその全部又は一部に蛇腹付きのものを用いることも有効である。カテーテルが単純な円筒形のものであると、折れやすい上に一旦折れると復元が困難であり、体内で狭窄等が起こり易いが、蛇腹にしておけば体内の屈曲した部分にも自然なカーブで無理なく適合することになり、内腟の狭窄が起こることを有効に回避することができる。このような蛇腹状のカテーテルは、人工血管以外の様々な器具の移送に適しているものである。
【００６０】
また、前記実施例で用いた人工血管移送装置Ｂは人工血管以外の様々な器具を牽引して体内に導入する場合に適用できるものである。さらに、弁７０を有する案内パイプＨは、枝が２つ以上あるような分岐部分に人工血管を配設する際にも同様に機能し得るものである。例えば、首の大動脈に対しては、枝付きの人工血管を用い、その本体部を大動脈弓部に配設し、枝を頸動脈又は腕頭動脈へ入れることになるが、このような場合にも上記の案内パイプＨを用いることによって人工血管を容易かつ適切に移植することが可能となる。さらにまた、図５１及び図５２で示した弁６８も、複数の移送装置等を出血なく並列に通過させて人体に導入する際に広く適用できるものである。
【図面の簡単な説明】
【００６１】
【図１】本発明の一実施例に先立ち、基本的な移植方法を説明するために用いる人工血管の斜視図。
【図２】同人工血管の部分縦断面図。
【図３】同人工血管を構成する中間リング状線材部の部分拡大斜視図。
【図４】同中間リング状線材部の表装材への固着状態を示す図。
【図５】同人工血管を移送するための人工血管移送装置を示す斜視図。
【図６】同実施例で用いる人工血管導入装置を示す斜視図。
【図７】同人工血管導入装置を構成するカートリッジを示す斜視図。
【図８】図６における装着部の部分拡大縦断面図。
【図９】図６におけるカートリッジの部分拡大縦断面図。
【図１０】同人工血管を折り畳むために用いるロート状筒を示す側面図。
【図１１】同人工血管を折り畳むために用いるピンセットを示す側面図。
【図１２】同人工血管を人工血管移送装置の外周に遊嵌した状態を示す斜視図。
【図１３】同人工血管を人工血管移送装置に保持させる手順を示す斜視図。
【図１４】同人工血管を人工血管移送装置に保持させる手順を示す斜視図。
【図１５】同人工血管を人工血管移送装置に保持させた状態を示す部分拡大斜視図。
【図１６】同人工血管をカテーテル内に導入する手順を示す斜視図。
【図１７】同人工血管をカテーテル内に導入する手順を示す斜視図。
【図１８】同人工血管をピンセットを用いてカテーテル内に導入する手順を示す斜視図。
【図１９】同人工血管の前リング状線材部が折れ曲がる様子を示す説明図。
【図２０】同人工血管の前リング状線材部が折れ曲がる様子を示す説明図。
【図２１】同人工血管の前リング状線材部が折れ曲がった状態を示す説明図。
【図２２】同人工血管全体がロート状筒内で折れ曲がっていく様子を示す説明図。
【図２３】同人工血管の中間リング状線材部が折れ曲がるときの様子を示す斜視図。
【図２４】同人工血管の中間リング状線材部が折れ曲がるときの様子を示す展開図。
【図２５】同人工血管をカートリッジ内に挿入した状態を示す一部破断した側面図。
【図２６】同人工血管の各リング状線材部が折れ曲がった状態を示す模式図。
【図２７】同人工血管をカートリッジからロート状筒を引き抜いた状態を示す一部破断した側面図。
【図２８】同人工血管を収容したカートリッジを装着部に接続した状態を示す一部破断した側面図。
【図２９】同人工血管を患部にまで移送した状態を示す断面図。
【図３０】同人工血管を患部において血管内に放出する手順を示す説明図。
【図３１】同人工血管を患部において血管内に放出する手順を示す説明図。
【図３２】同人工血管を患部において血管内に放出した状態を示す断面図。
【図３３】同人工血管を更にバルーンカテーテルによって膨脹させる手順を示す説明図。
【図３４】本発明に対する比較実施例が適用される人工血管を示す斜視図。
【図３５】同人工血管を予め紐を用いて折り畳んだ状態を示す斜視図。
【図３６】同人工血管を予め紐を用いて折り畳む手順を示す斜視図。
【図３７】同人工血管に紐が巻かれた状態を示す斜視図。
【図３８】同人工血管を移送するための装置を示す斜視図。
【図３９】図３８において後リング状線材部を牽引するための移送装置を示す斜視図。
【図４０】同人工血管の使用方法を示す原理図。
【図４１】同人工血管の使用方法を示す原理図。
【図４２】同人工血管の使用方法を示す原理図。
【図４３】同人工血管の使用方法を示す原理図。
【図４４】他の人工血管を示す模式図。
【図４５】他の人工血管を示す模式図。
【図４６】他の構成からなる人工血管移送装置を示す斜視図。
【図４７】他の折曲げ方法を示す説明図。
【図４８】人工血管の他の使用方法を示す説明図。
【図４９】本発明の一実施例に係る連結移植用器具を形成する人工血管をある状態において示す図。
【図５０】同使用方法が完了する直前の状態を示す図。
【図５１】シースに用いられる弁を示す図。
【図５２】第５１図の弁に代えて利用可能な他の弁を示す図。
【図５３】案内パイプに用いられる弁を示す図。
【図５４】人工血管移送装置の変形例を示す図。
【図５５】図５４におけるＸ１−Ｘ１線断面図。
【図５６】図５４におけるＹ１−Ｙ１線断面図。
【図５７】図５４におけるＺ１−Ｚ１線断面図。
【図５８】図５５の人工血管移送装置を違う角度から見た図。
【図５９】人工血管移送装置の他の変形例を示す図。
【図６０】図５９におけるＸ２−Ｘ２線断面図。
【図６１】図５９におけるＹ２−Ｙ２線断面図。
【図６２】図５９におけるＺ２−Ｚ２線断面図。
【図６３】図５９の人工血管移送装置を違う角度から見た図。
【図６４】図６２に対応した変形例を示す断面図。
【図６５】人工血管移送装置の上記以外の変形例を示す図。
【図６６】図６５におけるＸ３−Ｘ３線断面図。
【図６７】図６５におけるＺ３−Ｚ３線断面図。
【図６８】人工血管移送装置のさらに上記以外の変形例を示す図。
【図６９】図６８におけるＸ４−Ｘ４線断面図。
【図７０】図６８におけるＺ４−Ｚ４線断面図。
【図７１】人工血管の変形例を示す図。
【符号の説明】
【００６２】
７…表装材
１２…中間リング状線材部
１０1…前リング状線材部
１０2…後リング状線材部
４１1、４２1、４３1、４４1…分割点
５１1、５２1、５３1、５４1…中間位置
Ｄ…人工血管（移植用器具）
Ｂ3…人工血管移送装置（器具移送装置）
Ｈ…案内パイプ
【図１】
2006136737.tif 000003
【図２】
2006136737.tif 000004
【図３】
2006136737.tif 000005
【図４】
2006136737.tif 000006
【図５】
2006136737.tif 000007
【図６】
2006136737.tif 000008
【図７】
2006136737.tif 000009
【図８】
2006136737.tif 000010
【図９】
2006136737.tif 000011
【図１０】
2006136737.tif 000012
【図１１】
2006136737.tif 000013
【図１２】
2006136737.tif 000014
【図１３】
2006136737.tif 000015
【図１４】
2006136737.tif 000016
【図１５】
2006136737.tif 000017
【図１６】
2006136737.tif 000018
【図１７】
2006136737.tif 000019
【図１８】
2006136737.tif 000020
【図１９】
2006136737.tif 000021
【図２０】
2006136737.tif 000022
【図２１】
2006136737.tif 000023
【図２２】
2006136737.tif 000024
【図２３】
2006136737.tif 000025
【図２４】
2006136737.tif 000026
【図２５】
2006136737.tif 000027
【図２６】
2006136737.tif 000028
【図２７】
2006136737.tif 000029
【図２８】
2006136737.tif 000030
【図２９】
2006136737.tif 000031
【図３０】
2006136737.tif 000032
【図３１】
2006136737.tif 000033
【図３２】
2006136737.tif 000034
【図３３】
2006136737.tif 000035
【図３４】
2006136737.tif 000036
【図３５】
2006136737.tif 000037
【図３６】
2006136737.tif 000038
【図３７】
2006136737.tif 000039
【図３８】
2006136737.tif 000040
【図３９】
2006136737.tif 000041
【図４０】
2006136737.tif 000042
【図４１】
2006136737.tif 000043
【図４２】
2006136737.tif 000044
【図４３】
2006136737.tif 000045
【図４４】
2006136737.tif 000046
【図４５】
2006136737.tif 000047
【図４６】
2006136737.tif 000048
【図４７】
2006136737.tif 000049
【図４８】
2006136737.tif 000050
【図４９】
2006136737.tif 000051
【図５０】
2006136737.tif 000052
【図５１】
2006136737.tif 000053
【図５２】
2006136737.tif 000054
【図５３】
2006136737.tif 000055
【図５４】
2006136737.tif 000056
【図５５】
2006136737.tif 000057
【図５６】
2006136737.tif 000058
【図５７】
2006136737.tif 000059
【図５８】
2006136737.tif 000060
【図５９】
2006136737.tif 000061
【図６０】
2006136737.tif 000062
【図６１】
2006136737.tif 000063
【図６２】
2006136737.tif 000064
【図６３】
2006136737.tif 000065
【図６４】
2006136737.tif 000066
【図６５】
2006136737.tif 000067
【図６６】
2006136737.tif 000068
【図６７】
2006136737.tif 000069
【図６８】
2006136737.tif 000070
【図６９】
2006136737.tif 000071
【図７０】
2006136737.tif 000072
【図７１】
2006136737.tif 000073